(57)【要約】【課題】画像形成装置に特有の印刷設定情報を設定する操作を簡易にして操作性を向上させる手段を提供する。【解決手段】端末装置と画像形成装置とが通信可能に接続された画像形成システムにおいて、前記端末装置は、印刷設定情報の入力を受付ける操作部と、前記印刷設定情報を前記画像形成装置に送信する送信部と、を備え、前記画像形成装置は、前記端末装置から受信した前記印刷設定情報を端末装置識別情報に対応させて記憶する印刷設定情報記憶部と、前記端末装置から受信した印刷データを前記印刷設定情報に従って印刷を行う印刷部と、を備えた。【選択図】        図１
2016006575.tif 000002
【特許請求の範囲】
【請求項１】
端末装置と画像形成装置とが通信可能に接続された画像形成システムにおいて、
前記端末装置は、
印刷設定情報の入力を受付ける操作部と、
前記印刷設定情報を前記画像形成装置に送信する送信部と、
を備え、
前記画像形成装置は、
前記端末装置から受信した前記印刷設定情報を端末装置識別情報に対応させて記憶する印刷設定情報記憶部と、
前記端末装置から受信した印刷データを前記印刷設定情報に従って印刷を行う印刷部と、
を備えたことを特徴とする画像形成システム。
【請求項２】
請求項１に記載の画像形成システムにおいて、
前記端末装置は、
前記印刷設定情報記憶部に記憶された自端末装置の前記印刷設定情報を前記画像形成装置から受信する受信部と、
前記受信部が受信した自端末装置の前記印刷設定情報を表示する表示部と、
を備えことを特徴とする画像形成システム。
【請求項３】
請求項２に記載の画像形成システムにおいて、
前記端末装置は、
前記印刷設定情報記憶部に記憶された自端末装置の前記印刷設定情報が存在しない場合、印刷設定情報の初期値を前記表示部に表示させることを特徴とする画像形成システム。
【請求項４】
請求項１から請求項３のいずれかに記載の画像形成システムにおいて、
前記画像形成装置は、
前記端末装置から印刷データを受信し、当該端末装置識別情報に対応させて前記印刷設定情報が記憶されていない場合、前記印刷データを初期値の印刷設定情報に従って印刷を行うことを特徴とする画像形成システム。
【請求項５】
請求項１から請求項４のいずれかに記載の画像形成システムにおいて、
前記印刷設定情報は、前記画像形成装置の構成に依存する印刷条件であることを特徴とする画像形成システム。
【請求項６】
端末装置と画像形成装置とが行う印刷情報設定方法において、
前記端末装置が印刷設定情報の入力を受付けるステップと、
前記端末装置が前記印刷設定情報を前記画像形成装置に送信するステップと、
前記画像形成装置が前記端末装置から受信した前記印刷設定情報を端末装置識別情報に対応させて印刷設定情報記憶部に記憶するステップと、
前記画像形成装置が前記端末装置から受信した印刷データを前記印刷設定情報に従って印刷を行うステップとを含むことを特徴とする印刷情報設定方法。
【発明の詳細な説明】
【技術分野】
【０００１】
本発明は、端末装置と画像形成装置とが通信可能に接続された画像形成システムおよび印刷情報設定方法に関する。
【背景技術】
【０００２】
従来の画像形成システムは、携帯情報端末等の端末装置のアプリケーションソフトウェアが生成した印刷データを手軽に印刷できるように、端末装置に基本ソフトウェア機能としてプリンタドライバソフトウェアが不要な印刷機能がサポートされ、この印刷機能により簡易な印刷条件の設定を行い、印刷（ダイレクトプリント）を行うことができるようにしている。
また、端末装置の印刷機能取得部が画像形成装置の印刷機能を取得し、その印刷機能に基づいて端末装置に表示した画面で設定された印刷条件をプリンタドライバから渡された印刷データに用いて画像形成装置へ送信するようにしているものがある（例えば、特許文献１参照）。
【先行技術文献】
【特許文献】
【０００３】
【特許文献１】特開２００９−２８２６９５号公報
【発明の概要】
【発明が解決しようとする課題】
【０００４】
しかしながら、従来の技術においては、簡易な印刷条件に加え、画像形成装置に特有の詳細な印刷設定情報を設定する場合、プリンタドライバや画像形成装置の表示部に表示された画面を参照しながら操作部の操作ボタンを操作して印刷設定情報を入力して追加する必要があり、その操作は煩雑であるという問題がある。
本発明は、このような問題を解決することを課題とし、画像形成装置に特有の印刷設定情報を設定する操作を簡易にして操作性を向上させることを目的とする。
【課題を解決するための手段】
【０００５】
そのため、本発明は、端末装置と画像形成装置とが通信可能に接続された画像形成システムにおいて、前記端末装置は、印刷設定情報の入力を受付ける操作部と、前記印刷設定情報を前記画像形成装置に送信する送信部と、を備え、前記画像形成装置は、前記端末装置から受信した前記印刷設定情報を端末装置識別情報に対応させて記憶する印刷設定情報記憶部と、前記端末装置から受信した印刷データを前記印刷設定情報に従って印刷を行う印刷部と、を備えたことを特徴とする。
【発明の効果】
【０００６】
このようにした本発明は、画像形成装置に特有の印刷設定情報を設定する操作を簡易にして操作性を向上させることができるという効果が得られる。
【図面の簡単な説明】
【０００７】
【図１】実施例における画像形成システムの構成を示すブロック図
【図２】実施例における画像形成システムの構成を示す説明図
【図３】実施例における印刷設定処理の流れを示す説明図
【図４】実施例における印刷設定画面の説明図
【図５】実施例における印刷設定登録情報テーブルの説明図
【図６】実施例における印刷設定情報登録コマンドの説明図
【図７】実施例における印刷設定情報取得処理の流れを示すフローチャート
【図８】実施例における印刷設定情報登録処理の流れを示すフローチャート
【図９】実施例における印刷処理の流れを示すフローチャート
【発明を実施するための形態】
【０００８】
以下、図面を参照して本発明による画像形成システムおよび印刷情報設定方法の実施例を説明する。
【実施例１】
【０００９】
図２は実施例における画像形成システムの構成を示す説明図である。
図２において、画像形成システム１００は、端末装置２００と、画像形成装置３００とからなり、端末装置２００と画像形成装置３００とが通信回線としてのＬＡＮ（Ｌｏｃａｌ  Ａｒｅａ  Ｎｅｔｗｏｒｋ）１０１を介して通信可能に接続されている。なお、ＬＡＮ１０１には、一または複数の端末装置２００と、一または複数の画像形成装置３００とが接続可能であるが、本実施例では、複数の端末装置２００と、一の画像形成装置３００とが接続されたものとして説明する。また、本実施例では、通信プロトコルとしてＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を使用するものとして説明する。さらに、ＬＡＮ１０１は、無線または有線のいずれであっても良い。
【００１０】
端末装置２００は、例えば携帯情報端末２０１やコンピュータ２０２等であり、画像形成装置３００に文書データ等の印刷データの印刷や詳細な印刷条件の設定（以下、「印刷設定」という。）を要求する情報処理装置である。本実施例において、詳細な印刷条件とは、画像形成装置３００の構成に依存する特有の印刷条件を含むものであり、例えば給紙トレイ指定、印刷部数指定、部単位印刷指定、用紙サイズ合わせ指定、両面印刷指定、印刷ページ指定等である。
画像形成装置３００は、設定されている印刷条件に従って印刷データから画像を形成し出力する装置であり、例えばプリンタや複合機等である。
【００１１】
端末装置２００が画像形成装置３００へ印刷設定を行うための印刷設定情報を送信すると、画像形成装置３００は、端末装置２００を識別する識別情報と、印刷設定情報とを印刷設定情報保存部に管理テーブルとして保存する。
また、端末装置２００が画像形成装置３００へ印刷を指示する印刷指示情報を送信すると、画像形成装置３００は、印刷設定情報保存部に保存された印刷設定情報を参照し、印刷内容を決定し、印刷データの印刷を行う。
【００１２】
図１は実施例における画像形成システムの構成を示すブロック図である。
図１において、端末装置２００は、プログラムメモリ２１０と、ＣＰＵ（Ｃｅｎｔｒａｌ  Ｐｒｏｃｅｓｓｉｎｇ  Ｕｎｉｔ）２２０と、記憶部２３０と、ＯＳ（Ｏｐｅｒａｔｉｎｇ  Ｓｙｓｔｅｍ）印刷部２４０と、送受信部２５０とから構成されている。
プログラムメモリ２１０は、端末装置２００全体の動作を制御する制御プログラム（ソフトウェア）を記憶するものである。また、プログラムメモリ２１０は、Ｗｅｂブラウザ２１２を含むアプリケーションプログラム部２１１を有している。
【００１３】
Ｗｅｂブラウザ２１２は、表示部としてのディスプレイおよび操作部としてのタッチパネル等で構成された操作表示部に各種情報を表示するとともに、操作表示部で操作者による入力操作を受付ける。本実施例では、Ｗｅｂブラウザ２１２により画像形成装置３００から受信した印刷設定情報を操作表示部に表示するとともに、操作表示部で印刷設定を行うための印刷設定情報の入力操作を受付ける。
ＣＰＵ２２０は、制御手段であり、プログラムメモリ２１０に記憶された制御プログラムに基づいて端末装置２００全体の動作を制御するものである。
【００１４】
記憶部２３０は、各種デバイスの制御情報等を記憶する作業領域であり、印刷データの送信バッファ等に使用されるものである。
ＯＳ印刷部２４０は、印刷データの生成や印刷設定情報の設定を指示するものである。
送信部および受信部としての送受信部２５０は、ＬＡＮ１０１を介して画像形成装置３００との間でデータ（情報）の送受信を行うものであり、例えば印刷設定情報や印刷データ等の送受信を行うものである。印刷設定情報送受信部２５１は、画像形成装置３００との間で印刷設定情報の送受信を行うものである。
【００１５】
画像形成装置３００は、ネットワーク通信部３１０と、操作部３２０と、パネル表示部３３０と、データ送受信部３４０と、印刷設定情報管理部３５０と、印刷設定情報保存部３６０と、印刷データ取得部３７０と、プリント指示部３８０と、印刷処理部３９０とから構成されている。
ネットワーク通信部３１０は、ＬＡＮ１０１を介して端末装置２００との間でデータの通信制御を行うものである。また、ネットワーク通信部３１０は、受信データのＩＰアドレス等の送信元識別情報を読出し、受信データの送信元である端末装置２００を特定することができるようになっている。
【００１６】
操作部３２０は、操作ボタン等を備え、項目の選択や設定値の入力等の操作者による入力操作を受付ける入力手段である。
パネル表示部３３０は、画像形成装置３００の状態や操作者の入力操作を誘導する画面等を表示する出力手段である。
データ送受信部３４０は、ネットワーク通信部３１０を介して端末装置２００との間でデータの送受信を行うものである。
印刷設定情報保存部３６０は、端末装置２００から受信した印刷設定情報を、端末装置２００を識別する識別情報（端末装置識別情報）に対応させた印刷設定情報テーブル３６１として保存（記憶）して登録するものである。
【００１７】
印刷設定情報管理部３５０は、印刷設定情報保存部３６０に印刷設定情報が登録されて保存されているか否かを問い合わせるものであり、印刷設定情報が登録されている場合は登録されている印刷設定情報を取得する。
印刷データ取得部３７０は、ネットワーク通信部３１０で端末装置２００から受信した印刷データを取得し、保存するものである。
プリント指示部３８０は、印刷データ取得部３７０に保存された印刷データに、印刷設定情報管理部３５０で取得した印刷設定情報を対応付けて印刷処理部３９０に対して印刷指示を行うものである。
【００１８】
印刷部としての印刷処理部３９０は、プリント指示部３８０からの印刷指示に基づき端末装置２００から受信した印刷データを印刷設定情報に従って編集し、印刷する印刷処理を行うものである。
なお、画像形成装置３００は、ＣＰＵ等の制御手段を備え、記憶部に記憶された制御プログラム（ソフトウェア）に基づいて制御手段により画像形成装置３００全体の動作が制御される。また、制御手段は、タイマやカレンダ等の機能を有する計時手段を備えている。
【００１９】
上述した構成の作用について説明する。
画像形成システムが行う印刷設定処理の概要を図３の実施例における印刷設定処理の流れを示す説明図の図中Ｓで表すステップに従って図１を参照しながら説明する。
Ｓ１：まず、端末装置２００のＷｅｂブラウザ２１２により、画像形成装置３００に登録されている印刷設定情報を取得し、印刷設定のＷｅｂページとして操作表示部に表示する。
【００２０】
印刷設定のＷｅｂページは、例えば図４に示す印刷設定画面４０であり、端末装置２００の操作表示部に画像形成装置３００の印刷設定情報が表示され、また操作表示部をタップ等の入力操作を行うことにより表示された印刷設定情報を変更することができる画面である。
印刷設定画面４０に表示される印刷設定情報は、例えば給紙トレイ４１、印刷部数４２、部単位印刷４３、用紙サイズ合わせ４４、両面印刷４５、印刷ページ指定４６、およびＰＤＦ（Ｐｏｒｔａｂｌｅ  Ｄｏｃｕｍｅｎｔ  Ｆｏｒｍａｔ）パスワード４７等により構成されている。
【００２１】
給紙トレイ４１は印刷データを印刷する媒体としての用紙が収納された給紙トレイを指定し、印刷部数４２は印刷部数を指定し、部単位印刷４３は部単位での印刷を行うか否かを指定し、用紙サイズ合わせ４４は用紙に合わせて印刷データの画像を形成（スケーリング）するか否か指定し、両面印刷４５は用紙の両面に印刷を行うか否かを指定し、印刷ページ指定４６は印刷するページを指定し、ＰＤＦパスワード４７は暗号化されたＰＤＦデータのパスワードを指定するものである。
また、画像形成装置３００の印刷設定情報保存部３６０に登録されている印刷設定情報は、端末装置２００のＩＰアドレスに関連付けられて印刷設定情報テーブル３６１として記憶されている。
【００２２】
印刷設定情報テーブル３６１は、例えば図５示すように、ＩＰアドレス３６１１、リースの取得日３６１２、リースの有効期限３６１３、印刷設定情報３６１４（給紙トレイ３６１４ａ、部数指定３６１４ｂ、部単位３６１４ｃ等）により構成され、端末装置識別情報としてのＩＰアドレス３６１１に関連付けられてリースの取得部３６１２、リースの有効期限３６１３、印刷設定情報３６１４が記憶されている。なお、本実施例では、端末装置識別情報をＩＰアドレスとして説明するが、端末装置２００固有のＭＡＣ（Ｍｅｄｉａ  Ａｃｃｅｓｓ  Ｃｏｎｔｒｏｌ）アドレス等としても良い。
【００２３】
端末装置２００は、印刷設定情報を要求する情報を画像形成装置３００へ送信し、その要求を受けた画像形成装置３００は、要求元の端末装置２００のＩＰアドレスに基づいて印刷設定情報テーブル３６１を検索し、当該ＩＰアドレスが存在し、印刷設定情報も存在する場合、印刷設定情報テーブル３６１に登録された印刷設定情報を要求元の端末装置２００へ返送する。一方、当該ＩＰアドレスが存在しない（記憶されていない）場合、登録された印刷設定情報が存在しないため初期値の印刷設定情報を要求元の端末装置２００へ返送する。
【００２４】
端末装置２００のＷｅｂブラウザ２１２は、画像形成装置３００から受信した印刷設定情報を操作表示部に表示する。したがって、端末装置２００のＷｅｂブラウザ２１２は、画像形成装置３００に登録されている自端末装置２００の印刷設定情報を表示する。なお、画像形成装置３００に登録されている自端末装置２００の印刷設定情報が存在しない場合、端末装置２００のＷｅｂブラウザ２１２は初期値の印刷設定情報を表示する。
【００２５】
Ｓ２：端末装置２００のＷｅｂブラウザ２１２は、操作表示部に表示した印刷設定情報を変更する入力操作を受付け、変更された印刷設定情報を印刷設定情報登録コマンドとして画像形成装置３００へ送信し、変更された印刷設定情報の登録を要求する。印刷設定情報を受信した画像形成装置３００は、要求元の端末装置２００のＩＰアドレスに関連付けて印刷設定情報を印刷設定情報テーブル３６１に保存し、登録する。
【００２６】
印刷設定情報登録コマンドは、画像形成装置３００に対して印刷設定情報の登録を要求する情報である。この印刷設定情報登録コマンドは、例えば図６に示す印刷設定情報登録コマンド６０であり、ＥＳＣ・ＤＥＬ・Ｅ（印刷設定コマンド）、Ｓｔｒｉｎｇ１（ＩＰアドレス）、Ｓｔｒｉｎｇ２（ＩＰアドレスリース取得日）、Ｓｔｒｉｎｇ３（ＩＰアドレスリース有効期間）、Ｐａｒａｍｅｔｅｒ１（給紙トレイ）、Ｐａｒａｍｅｔｅｒ２（印刷部数）、Ｐａｒａｍｅｔｅｒ３（部単位印刷）、Ｐａｒａｍｅｔｅｒ４（用紙サイズ合わせ）、Ｐａｒａｍｅｔｅｒ５（両面印刷）、Ｐａｒａｍｅｔｅｒ６（印刷ページ指定）、Ｓｔｒｉｎｇ４（ＰＤＦパスワード）等により構成されたものである。
【００２７】
なお、ＥＳＣ・ＤＥＬ・Ｅは１Ｂ・１０・４５（Ｈｅｘ：１６進数）、Ｓｔｒｉｎｇ１〜Ｓｔｒｉｎｇ４は文字列、Ｐａｒａｍｅｔｅｒ１〜Ｐａｒａｍｅｔｅｒ６は数値（パラメータ）である。
このように、画像形成装置３００が要求元の端末装置２００のＩＰアドレスに関連付けて印刷設定情報を印刷設定情報テーブル３６１に保存し、登録するのは、同一の端末装置２００で使用される印刷設定情報は同一なものが多いためであり、端末装置２００毎に印刷設定情報を登録しておくことにより、端末装置２００の操作性を向上させることができる。
【００２８】
Ｓ３：端末装置２００は、印刷を指示する操作を受付けると、画像形成装置３００に印刷データとともに、印刷を指示する情報を送信する。
Ｓ４：端末装置２００から印刷データおよび印刷を指示する情報を受信した画像形成装置３００は、送信元の端末装置２００のＩＰアドレスに基づいて印刷設定情報テーブル３６１を検索して印刷設定情報を抽出し、登録されている印刷設定情報に従って印刷データの印刷を行う。なお、印刷設定情報テーブル３６１を検索して印刷設定情報を抽出できなかった場合、すなわち印刷設定情報テーブル３６１に印刷設定情報が登録（記憶）されていない場合、初期値の印刷設定情報に従って印刷データの印刷を行う。
【００２９】
次に、図３のＳ１における印刷設定情報取得処理を図７の実施例における印刷設定情報取得処理の流れを示すフローチャートの図中Ｓで表すステップに従って図１を参照しながら説明する。
Ｓ１０１：端末装置２００は、印刷設定情報送受信部２５１により画像形成装置３００へ印刷設定情報の取得を要求する情報を送信し、印刷設定情報が登録されているか否か（登録の有無）を問い合わせる。
【００３０】
Ｓ１０２：画像形成装置３００のデータ送受信部３４０は、ネットワーク通信部３１０を介して印刷設定情報の取得を要求する情報を受信し、ネットワーク通信部３１０で読み出された送信元の端末装置２００のＩＰアドレスを印刷設定情報管理部３５０へ渡す。印刷設定情報管理部３５０は、渡されたＩＰアドレスに基づいて印刷設定情報保存部３６０に保存されている印刷設定情報テーブル３６１を検索し、当該ＩＰアドレスが存在し、印刷設定情報が登録済みであるか否かを判定し、登録済みであると判定すると処理をＳ１０３へ移行し、未登録であると判定すると処理をＳ１０４へ移行する。
【００３１】
Ｓ１０３：印刷設定情報が登録済みであると判定した印刷設定情報管理部３５０は、印刷設定情報テーブル３６１から当該ＩＰアドレスに関連付けられた印刷設定情報を取得し、処理をＳ１０５へ移行する。
Ｓ１０４：印刷設定情報が未登録であると判定した印刷設定情報管理部３５０は、初期値の印刷設定情報を取得し、処理をＳ１０５へ移行する。
Ｓ１０５：画像形成装置３００のデータ送受信部３４０は、印刷設定情報管理部３５０が取得した印刷設定情報を端末装置２００へ返送し、端末装置２００のＷｅｂブラウザ２１２は、印刷設定情報送受信部２５１により画像形成装置３００から受信した印刷設定情報を操作表示部に表示（Ｗｅｂ表示）する。
【００３２】
Ｓ１０６：端末装置２００を操作する操作者は、操作表示部に表示された印刷設定情報を確認し、必要があれば印刷設定情報を変更するものとし、端末装置２００のＷｅｂブラウザ２１２は印刷設定情報を変更する入力操作を受付ける。
Ｓ１０７：端末装置２００は、印刷設定情報の変更があったか否かを判定し、変更があったと判定すると処理をＳ１０８へ移行し、変更がなかったと判定すると本処理を終了する。
Ｓ１０８：印刷設定情報の変更があったと判定した端末装置２００は、変更後の印刷設定情報に基づいて印刷設定情報登録コマンドを生成し、印刷設定情報送受信部２５１により画像形成装置３００へ送信し、本処理を終了する。
【００３３】
次に、図３のＳ２における印刷設定情報登録処理を図８の実施例における印刷設定情報登録処理の流れを示すフローチャートの図中Ｓで表すステップに従って図１を参照しながら説明する。
Ｓ２０１：画像形成装置３００のデータ送受信部３４０は、ネットワーク通信部３１０により印刷設定情報登録コマンドを受信したか否かを判定し、印刷設定情報登録コマンドを受信したと判定すると処理をＳ２０２へ移行し、印刷設定情報登録コマンドを受信していないと判定すると本処理を終了する。
【００３４】
Ｓ２０２：データ送受信部３４０が印刷設定情報登録コマンドを受信したと判定すると、印刷設定情報管理部３５０は、印刷設定情報登録コマンドに含まれるＩＰアドレスに基づいて印刷設定情報保存部３６０に保存されている印刷設定情報テーブル３６１を検索し、当該ＩＰアドレスが存在し、印刷設定情報が登録済みであるか否かを判定し、登録済みであると判定すると処理をＳ２０３へ移行し、未登録であると判定すると処理をＳ２０４へ移行する。
【００３５】
Ｓ２０３：印刷設定情報が登録済みであると判定した印刷設定情報管理部３５０は、当該ＩＰアドレスに関連付けられた印刷設定情報テーブル３６１の印刷設定情報を端末装置２００から受信した印刷設定情報に更新し、本処理を終了する。
Ｓ２０４：印刷設定情報が未登録であると判定した印刷設定情報管理部３５０は、印刷設定情報テーブル３６１にレコードを追加し、当該ＩＰアドレスに関連付けて端末装置２００から受信した印刷設定情報を記憶して新規に登録し、本処理を終了する。
なお、画像形成装置３００は、印刷設定情報の更新または新規登録が完了するとその旨を端末装置２００へ通知する。
【００３６】
次に、図３のＳ４における印刷処理を図９の実施例における印刷処理の流れを示すフローチャートの図中Ｓで表すステップに従って図１を参照しながら説明する。
Ｓ３０１：画像形成装置３００は、端末装置２００から印刷データおよび印刷を指示する情報を受信する。
Ｓ３０２：画像形成装置３００のデータ送受信部３４０は、ネットワーク通信部３１０を介して印刷データおよび印刷を指示する情報を受信し、ネットワーク通信部３１０で読み出された送信元の端末装置２００のＩＰアドレスを確認し、印刷設定情報管理部３５０へ渡す。
【００３７】
Ｓ３０３：印刷設定情報管理部３５０は、渡されたＩＰアドレスに基づいて印刷設定情報保存部３６０に保存されている印刷設定情報テーブル３６１を検索し、当該ＩＰアドレスが存在し、印刷設定情報が登録済みであるか否かを判定し、登録済みであると判定すると処理をＳ３０４へ移行し、未登録であると判定すると処理をＳ３０７へ移行する。
Ｓ３０４：印刷設定情報が登録済みであると判定した印刷設定情報管理部３５０は、現在の日時が印刷設定情報テーブル３６１の当該ＩＰアドレスのリース有効期限３６１３を超えていないか否か、すなわち当該ＩＰアドレスが有効であるか否かを判定し、リース有効期限３６１３を超えていない（有効）と判定すると処理をＳ３０５へ移行し、リース有効期限３６１３を超えている（無効）と判定すると登録されている印刷設定情報を参照することなく、初期値の印刷設定情報で印刷を行うため処理をＳ３０７へ移行する。
【００３８】
Ｓ３０５：ＩＰアドレスが有効であると判定した印刷設定情報管理部３５０は、当該ＩＰアドレスに関連付けられた印刷設定情報３６１４を印刷設定情報テーブル３６１から取得する。
Ｓ３０６：印刷設定情報管理部３５０は、印刷設定情報を取得した印刷設定情報３６１４に変更する。
Ｓ３０７：印刷データ取得部３７０は、受信した印刷データを取得し、プリント指示部３８０へ渡す。プリント指示部３８０は、印刷データとともに印刷設定情報を印刷処理部３９０に渡し、印刷を指示する。印刷処理部３９０は、渡された印刷設定情報に従って印刷データを編集し、印刷処理を行う。
【００３９】
このように本実施例では、画像形成装置３００の印刷設定情報保存部３６０に印刷設定情報を端末装置２００から設定できるようにしたことにより、印刷設定情報を設定する操作を簡易にして操作性を向上させることができる。その結果、操作者は容易に所望の印刷設定で目的とする文書等を印刷することができる。
また、端末装置２００毎に印刷設定情報を画像形成装置３００の印刷設定情報保存部３６０に登録（保存）するようにしたことにより、ダイレクトプリントを行うユーザの利便性を向上させることができ、印刷の品質を向上させることができる。
【００４０】
以上説明したように、本実施例では、画像形成装置に印刷設定情報を端末装置から設定できるようにしたことにより、印刷設定情報を設定する操作を簡易にして操作性を向上させることができるという効果が得られる。
また、端末装置毎に印刷設定情報を画像形成装置に登録（保存）するようにしたことにより、印刷を行うユーザの利便性を向上させることができ、印刷の品質を向上させることができるという効果が得られる。
なお、本実施例では、画像形成装置をプリンタとして説明したが、それに限られることなく、複写機、ファクシミリ装置、複合機（ＭＦＰ）等としても良い。
【符号の説明】
【００４１】
１００  画像形成システム
２００  端末装置
２０１  携帯情報端末
２０２  コンピュータ
２１０  プログラムメモリ
２２０  ＣＰＵ
２３０  記憶部
２４０  ＯＳ印刷部
２５０  送受信部
３００  画像形成装置
３１０  ネットワーク通信部
３２０  操作部
３３０  パネル表示部
３４０  データ送受信部
３５０  印刷設定情報管理部
３６０  印刷設定情報保存部
３７０  印刷データ取得部
３８０  プリント指示部
３９０  印刷処理部
【図１】
2016006575.tif 000003
【図５】
2016006575.tif 000004
【図７】
2016006575.tif 000005
【図８】
2016006575.tif 000006
【図９】
2016006575.tif 000007
【図２】
2016006575.tif 000008
【図３】
2016006575.tif 000009
【図４】
2016006575.tif 000010
【図６】
2016006575.tif 000011